(57)【要約】【課題】装置構成を簡略化した撮影装置、及びその撮影装置を有すると共に画質補正が可能な撮影システムを提供する。【解決手段】撮影装置とサーバとを有する撮影システムであって、前記撮影装置は、被写体を撮像し、前記被写体を表すデジタル撮像データを前記サーバに撮影終了と同時に送信し、サーバは、前記撮影装置からデジタル撮像データを受信し、受信したデジタル撮像データに対して画質補正処理を施す。また、上記撮影装置に、被写体像をリサイズするリサイズ手段と、リサイズされた被写体像を表示する表示手段をさらに有するようにしても良い。【選択図】図３
2007295492.tif 000002
【特許請求の範囲】
【請求項１】
撮影装置とサーバとを有する撮影システムであって、
前記撮影装置は、
被写体を撮像する撮像手段と、
前記撮像手段により撮像された前記被写体を表すデジタル撮像データを前記サーバに撮影終了と同時に送信する撮像データ送信手段とを有し、
前記サーバは、
前記撮影装置からデジタル撮像データを受信する撮像データ受信手段と、
前記撮像データ受信手段で受信したデジタル撮像データに対して画質補正処理を施す画質補正手段と、
を有する撮影システム。
【請求項２】
前記サーバは、
前記画質補正手段により前記デジタル撮像データに対して画質補正処理が施された補正撮像データを前記撮影装置に送信する補正撮像データ送信手段を更に有し、
前記撮影装置は、
前記補正撮像データを取得する補正撮像データ取得手段と、
前記補正撮像データ取得手段が取得した前記補正撮像データを記録する記録手段と、
を更に有する請求項１に記載の撮影システム。
【請求項３】
請求項１または請求項２に記載の撮影システムにおける前記撮影装置であって、
前記撮像手段は、
被写体像を結像する光学系、及び前記結像された被写体像をデジタル撮像データに変換する電荷結合素子のみを有する撮影装置。
【請求項４】
前記被写体を視認可能な光学ファインダを更に有する請求項３に記載の撮影装置。
【請求項５】
前記デジタル撮像データが示す被写体像を所定の大きさにリサイズするリサイズ手段と、
該リサイズ手段によりリサイズされた被写体像を示すデジタル撮像データに基づき該被写体像を表示する表示手段と、
を更に有する請求項３に記載の撮影装置。
【発明の詳細な説明】
【技術分野】
【０００１】
本発明は、撮影装置、及び撮影システムに関し、特に構成を簡略化した撮影装置、及びその撮影装置を有する撮影システムに関する。
【背景技術】
【０００２】
デジタルカメラなどの撮影装置に通信機能を付加することにより、撮影した画像データを送信可能なモデルが多数提案されている。特許文献１、２には、画像データの通信を行うカメラが開示され、特許文献３には、撮影光学系を備える撮像部がカメラ本体部と着脱自在に構成され両者が分離状態にある場合に無線通信により画像情報を送信するカメラが開示されている。また、これらの特許文献に開示されている技術では、画質補正をカメラで行っている。
【特許文献１】特開２０００−２８７１１５号公報
【特許文献２】特開２０００−２９９８０９号公報
【特許文献３】特開２００４−１８７１２７号公報
【発明の開示】
【発明が解決しようとする課題】
【０００３】
このように、いずれの特許文献に開示されている技術でも、画質補正をカメラで行っているため、複雑な装置構成となるという問題点がある。
【０００４】
本発明は上記問題点に鑑み、装置構成を簡略化した撮影装置、及びその撮影装置を有すると共に画質補正が可能な撮影システムを提供することを目的とする。
【課題を解決するための手段】
【０００５】
上記目的を達成するために請求項１の発明は、撮影装置とサーバとを有する撮影システムであって、前記撮影装置は、被写体を撮像する撮像手段と、前記撮像手段により撮像された前記被写体を表すデジタル撮像データを前記サーバに撮影終了と同時に送信する撮像データ送信手段とを有し、前記サーバは、前記撮影装置からデジタル撮像データを受信する撮像データ受信手段と、前記撮像データ受信手段で受信したデジタル撮像データに対して画質補正処理を施す画質補正手段と、を有する。
【０００６】
ここで、請求項１の発明では、撮影装置は、被写体を撮像し、前記被写体を表すデジタル撮像データを前記サーバに撮影終了と同時に送信し、サーバは、前記撮影装置からデジタル撮像データを受信し、受信したデジタル撮像データに対して画質補正処理を施すので、撮影装置に画質補正処理を実行する回路が不要となる。従って装置構成を簡略化した撮影装置を有すると共に画質補正が可能な撮影システムを提供することができる。また、装置構成を簡略化することにより、撮影装置の小型化も可能となる。
【０００７】
また、請求項２の発明は、前記サーバは、前記画質補正手段により前記デジタル撮像データに対して画質補正処理が施された補正撮像データを前記撮影装置に送信する補正撮像データ送信手段を更に有し、前記撮影装置は、前記補正撮像データを取得する補正撮像データ取得手段と、前記補正撮像データ取得手段が取得した前記補正撮像データを記録する記録手段と、を更に有する。
【０００８】
ここで、請求項２の発明によれば、画質補正処理が施された補正撮像データを、記録手段に記録しておくことが可能となる。
【０００９】
また、上記目的を達成するために請求項３の発明は、請求項１または請求項２に記載の撮影システムにおける前記撮影装置であって、前記撮像手段は、被写体像を結像する光学系、及び前記結像された被写体像をデジタル撮像データに変換する電荷結合素子のみを有する。
【００１０】
ここで、請求項３の発明によれば、撮像手段が、被写体像を結像する光学系、及び前記結像された被写体像をデジタル撮像データに変換する電荷結合素子のみを有するので、装置構成を簡略化することができる。
【００１１】
また、請求項４の発明は、前記被写体を視認可能な光学ファインダを更に有する。
【００１２】
ここで、請求項４の発明では、電気系の構成が不要である光学ファインダを用いることにより、装置構成を簡略化した撮影装置を提供することができる。
【００１３】
また、請求項５に記載の発明は、前記デジタル撮像データが示す被写体像を所定の大きさにリサイズするリサイズ手段と、該リサイズ手段によりリサイズされた被写体像を示すデジタル撮像データに基づき被写体像を表示する表示手段とを更に有する。
【００１４】
ここで、請求項５に記載の発明では、被写体像を表示手段の表示領域にリサイズすることが可能であり、リサイズされた被写体を表示手段に表示することで表示手段をファインダとすることが可能となる。なお、この表示手段として例えば液晶ディスプレイが挙げられる。
【発明の効果】
【００１５】
本発明によれば、装置構成を簡略化した撮影装置、及びその撮影装置を有すると共に画質補正が可能な撮影システムを提供することができるという効果が得られる。
【発明を実施するための最良の形態】
【００１６】
以下、図面を参照して、本発明の実施の形態について詳細に説明する。本実施の形態では、３種類のデジタルカメラの構成が説明される。また、３種類のデジタルカメラの変形例についても説明される。いずれの構成においても、デジタルカメラは撮像された被写体を表すデジタル撮像データをサーバに送信する。図１は、そのサーバを含む構成を示す図である。
【００１７】
図１には、サーバ７０と、複数のデジタルカメラ、例えば２台のデジタルカメラ７４、７６と、無線ＬＡＮアクセスポイント７２とそれらを接続するネットワーク７８とが示されている。
【００１８】
デジタルカメラ７４、７６は、撮像された被写体を示すデジタル撮像データを無線ＬＡＮとネットワーク７８を介してサーバ７０に送信する。サーバ７０は、デジタルカメラ７４、７６が撮像したデジタル撮像データを受信する撮像データ受信手段を有する。そしてサーバ７０は、受信したデジタル撮像データに対して画質補正処理を施す。この画質補正処理は、ホワイトバランス調整処理、ノイズ低減処理、ディストーション補正処理、シェーディング補正処理、ガンマ処理、及びシャープネス処理のうち、１つ以上の処理とするが、それ以外の画質補正処理であっても良い。このような画質補正処理が施された補正撮像データをデジタルカメラ７４、７６に送信する補正撮像データ送信手段をサーバ７０は更に有する。
【００１９】
以下、各デジタルカメラの構成について説明する。各構成での説明において、同一の符号についての説明は省略する。
［第１の構成］
図２を参照して、第１の構成を有するデジタルカメラ１０の外観上の構成を説明する。
【００２０】
デジタルカメラ１０の正面には、被写体像に結像させるためのレンズ２１と、撮影時に必要に応じて被写体に照射する光を発するストロボ４４と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２１】
レリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２２】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００２３】
次に、図３を参照して、第１の構成を有するデジタルカメラ１０の電気系の構成を説明する。
【００２４】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２５】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００２６】
なお、デジタル信号処理部３０は、所定容量のラインバッファを内蔵し、入力されたデジタルデータを後述するメモリ４８の所定領域に直接記録させる制御も行う。
【００２７】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００２８】
一方、デジタルカメラ１０は、デジタルカメラ１０全体の動作を司るＣＰＵ（中央処理装置）４０と、撮影により得られたデジタル画像データ等を記録するメモリ４８と、メモリ４８に対するアクセスの制御を行うメモリインタフェース４６と、を含んで構成されている。上記メモリ４８としてＶＲＡＭ（Video RAM）を用いるようにしても良い。
【００２９】
更に、デジタルカメラ１０は、デジタル画像データに対する圧縮処理及び伸張処理を行う圧縮・伸張処理回路５４、及び撮像データ送信手段としての無線ＬＡＮインタフェース６０を含んで構成されている。
【００３０】
デジタル信号処理部３０、ＣＰＵ４０、メモリインタフェース４６、及び圧縮・伸張処理回路５４はシステムバスＢＵＳを介して相互に接続されている。従って、ＣＰＵ４０は、デジタル信号処理部３０及び圧縮・伸張処理回路５４の作動の制御、及びメモリ４８へのメモリインタフェース４６介したアクセスを各々行うことができる。
【００３１】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３２】
更に、デジタルカメラ１０にはモータ駆動部３４が備えられており、光学ユニット２２に備えられた図示しない焦点調整モータ、ズームモータ、及び絞り駆動モータの駆動もＣＰＵ４０によりモータ駆動部３４を介して制御される。
【００３３】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００３４】
更に、前述のレリーズボタン５６Ａ、及び電源スイッチ５６Ｂ（同図では、「操作部５６」と総称。）はＣＰＵ４０に接続されており、ＣＰＵ４０は、これらの操作部５６に対する操作状態を常時把握できる。
【００３５】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００３６】
以上説明した図３において、「撮像系」と記されている枠内の構成が撮像手段に対応する。これは、後に説明する図５、７、８でも同様である。
【００３７】
次に、デジタルカメラ１０の撮影時における全体的な動作について簡単に説明する。
【００３８】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００３９】
ＡＤＣ２８は、アナログ信号処理部２６から入力されたＲ、Ｇ、Ｂ毎のアナログ信号を各々１２ビットのＲ、Ｇ、Ｂの信号に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４０】
メモリ４８の所定領域に格納されたデジタル画像データは、ＣＰＵ４０による制御に応じてデジタル信号処理部３０により読み出され、デジタル信号処理部３０は、所定ビット、例えば８ビットのデジタル画像データを生成する。
【００４１】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４２】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式で圧縮した後にメモリインタフェース４６を介してメモリ４８に記録する。
【００４３】
メモリ４８に記録されたデジタル撮像データは、ＣＰＵ４０による制御に応じて無線ＬＡＮインタフェース６０によりアクセスポイント７２（図１参照）に送信され、ネットワーク７８を介してサーバ７０に送信される。
【００４４】
以上説明した第１の構成は、画質補正を行う回路を備えていないので、装置構成を簡略化したデジタルカメラを提供することができる。また、装置構成を簡略化することにより、撮影装置の小型化も可能となる。
［第２の構成］
図４、５を用いて第２の構成について説明する。第２の構成を有するデジタルカメラ１０の外観上の構成は、第１の構成に表示手段としてＬＣＤ（液晶ディスプレイ）を加えた構成となっている。従って、図４に示されるように、デジタルカメラ１０の背面には、撮影された被写体像を表示するためのＬＣＤ３８が備えられる。
【００４５】
これに伴い、デジタルカメラ１０の電気系の構成は、図５に示されるように、被写体像をＬＣＤ３８に表示させるための信号を生成してＬＣＤ３８に供給するＬＣＤインタフェース３６、及びリサイズ回路６２を含む構成となる。
【００４６】
リサイズ回路６２は、入力された主デジタル画像データにより示される主画像の画素配列から縦横各々１画素おきに画素データを間引きした後、ＬＣＤ３８の表示領域の表示サイズに応じて予め定められた縮小率となるように線形補間法によって足りない画素データを埋めることによりＬＣＤ３８の表示領域の画素構成に応じた主デジタル画像データを生成する。
【００４７】
ＬＣＤインタフェース３６はシステムバスＢＵＳを介して相互に接続されているので、ＣＰＵ４０は、リサイズ回路６２でリサイズされた被写体像をＬＣＤ３８に表示することができる。
【００４８】
また、ＬＣＤ３８は、ＣＣＤ２４による連続的な撮像によって得られた動画像（スルー画像）を表示してファインダとして使用するものとして構成されているため、生成されたＹＣ信号は、ＬＣＤインタフェース３６を介して順次ＬＣＤ３８に出力される。これによってＬＣＤ３８にスルー画像が表示されることになる。
【００４９】
以上説明した第２の構成は、画質補正を行う回路を備えていないので、装置構成を簡略化したデジタルカメラを提供することができる。
［第３の構成］
図６を用いて第３の構成について説明する。第３の構成を有するデジタルカメラ１０の外観上の構成は、第１の構成に被写体を視認可能な光学ファインダ（以下、ファインダと記す）を加えた構成となっている。従って、図６に示されるように、デジタルカメラ１０の正面に、ファインダ２０が設けられている。一方、デジタルカメラ１０の背面には、ファインダ２０の接眼部が設けられている。
【００５０】
この第３の構成の場合、第１の構成にファインダを加えた構成となっているので、電気系の構成は図３と同じものとなる。
【００５１】
以上説明した第３の構成は、画質補正を行う回路を備えていないので、装置構成を簡略化したデジタルカメラを提供することができる。
【００５２】
次に、以上説明した３種類の構成に、外部メモリ用のインタフェースと、記録手段としてのメモリカードとを加えた変形例における電気系の構成ついて説明する。
【００５３】
図７は、第１及び第３の構成における電気系の構成の変形例を示す図である。また、図８は、第２の構成における電気系の構成の変形例を示す図である。図７、図８には、可搬型のメモリカード５２をデジタルカメラ１０でアクセス可能とするための外部メモリインタフェース５０を加えた構成が示されている。また、変形例においては、補正撮像データをサーバ７０から取得するので、無線ＬＡＮインタフェース６０は補正撮像データ取得手段でもある。
【００５４】
図７、図８に示されるように、ＣＰＵ４０、及び外部メモリインタフェース５０はシステムバスＢＵＳを介して相互に接続されている。従って、ＣＰＵ４０は、メモリカード５２へのメモリインタフェース４６及び外部メモリインタフェース５０を介したアクセスを各々行うことができる。
【００５５】
また、メモリカード５２には、サーバによりデジタル撮像データに対して画質補正処理が施された補正撮像データが記録されるが、撮影により得られたデジタル画像データを記録するようにしても良い。さらに、上述したメモリカード５２としてスマートメディア（Smart Media(登録商標)）を用いるようにしても良い。
【００５６】
以上説明した変形例で実行される処理を、図９のシーケンス図を用いて説明する。図９に示されるシーケンス図は、デジタルカメラ１０と、サーバ７０との処理を示すものである。
【００５７】
ステップ１０１は、ユーザによる撮影終了待ちである。撮影が終了すると同時にＣＰＵ４０は、ステップ１０２で、無線ＬＡＮインタフェース６０により、予め生成されていたＩＤとデジタル撮像データをサーバ７０に送信する。このとき、どのような画質補正処理をサーバ７０で実行するのかを指定する情報を送信するようにしても良い。
【００５８】
ステップ１０３で、ＣＰＵ４０は、次に撮影して得られたデジタル撮像データに用いるＩＤを生成する。このＩＤは、デジタル撮像データを識別するものであるが、識別する必要のない場合は不要である。
【００５９】
ＩＤとデジタル撮像データを受信したサーバ７０は、ステップ１０４でデジタル撮像データに対して画質補正処理を実行する。画質補正が施された補正撮像データは、ステップ１０５でサーバ７０の例えばハードディスクに記録される。その後、ステップ１０６で、サーバ７０は、ＩＤと補正撮像データをデジタルカメラ１０に送信する。
【００６０】
ＩＤと補正撮像データを取得したデジタルカメラ１０は、ステップ１０７で、ＩＤと補正撮像データをメモリカードに記録する。
【００６１】
以上説明した変形例によれば、サーバにより画質補正処理が施された補正撮像データをメモリカードに記録することができる。また、第２の構成の変形例では、ＬＣＤ３８とリサイズ回路６２により、メモリカードに記録された補正撮像データ、あるいはデジタル画像データのサムネイルを表示することも可能である。
【図面の簡単な説明】
【００６２】
【図１】デジタルカメラとサーバを含む構成を示す図である。
【図２】第１の構成を有するデジタルカメラの外観上の構成を示す図である。
【図３】第１の構成を有するデジタルカメラの電気系の構成を示す図である。
【図４】第２の構成を有するデジタルカメラの外観上の構成を示す図である。
【図５】第２の構成を有するデジタルカメラの電気系の構成を示す図である。
【図６】第３の構成を有するデジタルカメラの外観上の構成を示す図である。
【図７】第１及び第３の構成における電気系の構成の変形例を示す図である。
【図８】第２の構成における電気系の構成の変形例を示す図である。
【図９】デジタルカメラとサーバの処理を示すシーケンス図である。
【符号の説明】
【００６３】
１０、７４、７６  デジタルカメラ
２０  ファインダ
２１  レンズ
２２  光学ユニット
２４  ＣＣＤ
２６  アナログ信号処理部
２８  ＡＤＣ
３０  デジタル信号処理部
３２  タイミングジェネレータ
３４  モータ駆動部
３６  ＬＣＤインタフェース
３８  ＬＣＤ
４２  充電部
４４  ストロボ
４６  メモリインタフェース
４８  メモリ
５０  外部メモリインタフェース
５２  メモリカード
５４  圧縮・伸張処理回路
５６  操作部
５６Ａ  レリーズボタン
５６Ｂ  電源スイッチ
６０  無線ＬＡＮインタフェース
６２  リサイズ回路
７０  サーバ
７２  アクセスポイント
７８  ネットワーク
【図１】
2007295492.tif 000003
【図２】
2007295492.tif 000004
【図３】
2007295492.tif 000005
【図４】
2007295492.tif 000006
【図５】
2007295492.tif 000007
【図６】
2007295492.tif 000008
【図７】
2007295492.tif 000009
【図８】
2007295492.tif 000010
【図９】
2007295492.tif 000011